(57)【要約】【課題】この発明は、安価な構造により昇降路内頂部付近の保守点検作業を容易にできる機械室レスエレベーターを提供することを課題とする。【解決手段】エレベーター１の昇降路１４内には、乗り籠１０および釣合重り１８が昇降移動可能に設けられている。乗り籠１０の天井上には、メインロープ２２を巻回した籠シーブ３６Ｒ、３６Ｌを両端に備えた籠シーブ梁４２が天井から上方に離間して固設されている。籠シーブ梁４２の上面には、巻上機３０の保守点検作業を実施する際の足場となる作業台２が取り付けられている。【選択図】      図１
2009215051.tif 000002
【特許請求の範囲】
【請求項１】
昇降路と、この昇降路に沿って延設された籠レールおよび釣合重りレールと、上記籠レールによって案内されて上記昇降路内を昇降移動する乗り籠と、上記釣合重りレールによって案内されて上記乗り籠と連動して上記昇降路内を昇降移動する釣合重りと、上記乗り籠と釣合重りを連結したメインロープと、上記昇降路内頂部に設置され上記乗り籠および釣合重りを昇降移動させるように上記メインロープを巻き上げる巻上機と、を有する機械室レスエレベーターにおいて、
上記メインロープを巻回せしめた籠シーブを上記乗り籠の天井上に支持固定したシーブ梁の上に上記巻上機を保守点検するための作業台を設置したことを特徴とするエレベーター。
【請求項２】
上記作業台は、上記巻上機および当該巻上機を支持固定したマシンビームと上下方向に重ならない位置に設置されることを特徴とする請求項１に記載のエレベーター。
【請求項３】
上記作業台は、複数枚の足場板を蝶番で連結した構造を有し、これら複数枚の足場板は、未使用時に互いに重ねて折り畳まれて上記シーブ梁の上に収納され、使用時に上記シーブ梁の上で展開されることを特徴とする請求項２に記載のエレベーター。
【請求項４】
上記作業台は、上記シーブ梁の上に固設された第１足場ブロック、およびこの第１足場ブロックの内部に収納される第２足場ブロックを有し、未使用時に上記第２足場ブロックを上記第１足場ブロック内に収納し、使用時に上記第２足場ブロックを上記第１足場ブロックから引き出すことを特徴とする請求項２に記載のエレベーター。
【請求項５】
上記作業台は、上記シーブ梁の上に取り付けた支持板、およびこの支持板の上に乗せる足場板を有し、未使用時に上記足場板を上記乗り籠の天井上に格納し、使用時に上記支持板を広げて上記足場板を乗せることを特徴とする請求項２に記載のエレベーター。
【請求項６】
上記作業台は、上記乗り籠の天井に回転可能に取り付けた連結板、およびこの連結板の端部に回転可能に接続された足場板を有し、未使用時に上記連結板および足場板を上記乗り籠の天井上に展開して格納し、使用時に上記足場板を上記シーブ梁の上に配置することを特徴とする請求項２に記載のエレベーター。
【請求項７】
上記作業台は、上記シーブ梁の上に固設された足場板、およびこの足場板の端部に回転可能に接続された規制板を有し、使用時に上記規制板を上記マシンビームに接続したことを特徴とする請求項２に記載のエレベーター。
【発明の詳細な説明】
【技術分野】
【０００１】
この発明は、昇降路の頂部に巻上機を有する機械室レスエレベーターに関する。
【背景技術】
【０００２】
従来、機械室レスエレベーターとして、例えば、下記特許文献１および特許文献２に開示されたエレベーターが知られている。これら機械室レスエレベーターは、昇降路の頂部に巻上機や制御盤を有する。
【０００３】
この種のエレベーターにおいて、昇降路の頂部付近で点検作業を実施する場合、最上階の乗場ドアから乗り籠の天井に作業員が乗って、乗り籠を最上部まで上昇させる。このとき、作業員は、頭上にある巻上機に頭をぶつけないよう注意する必要がある。一方で、最上部まで上昇させた乗り籠の天井から、巻上機を設置したマシンビームまでの距離は、作業員の安全を考慮して、一定以上の距離を保つことが義務付けられている。
【０００４】
つまり、この種の機械室レスエレベーターでは、乗り籠を最も高い位置まで上昇させた状態でも、作業員の頭に当たらない程度に高い位置に巻上機を配置していることになる。このため、巻上機を点検する際には、作業員は、比較的高い位置に設置された巻上機にアクセスする必要があり、作業性が悪かった。
【０００５】
このため、特許文献１の装置では、昇降路の天井からパンタグラフ機構を介して作業台を吊り下げて取り付けてある。この作業台は、最上階の乗場ドアから操作でき、収納位置から使用位置へ引き下げて使用する。従って、作業員は、乗り籠の天井に乗らないで、作業台の上で巻上機の点検作業を実施できる。
【０００６】
また、特許文献２の装置では、昇降路の頂部近くの内側壁に収納可能な作業台を設置している。この作業台を使用する場合、作業員は、最上部まで上昇させた乗り籠の天井に乗って作業台にアクセスし、作業台を使用位置に設置する。これにより、作業員は、乗り籠の天井より高い位置にある作業台に乗って巻上機の点検作業を実施できる。
【０００７】
しかし、上述した各特許文献に開示された作業台は、いずれも、昇降路の天井や内壁に取り付けたものであり、作業台を支える構造に一定の強度が必要で、その分、構造が複雑になる。このため、作業台を取り付けるための部品点数も多くなり、装置の製造コストが増大する。また、昇降路の天井や内壁に作業台を取り付ける場合、取り付け作業に手間がかかり、施工が難しく、時間もかかり、取り付け作業に要する費用も嵩む。
【特許文献１】国際特許公開  ＷＯ２００４／１０８５７７Ａ１
【特許文献２】特開２００１−９７６４９
【発明の開示】
【発明が解決しようとする課題】
【０００８】
この発明の目的は、安価な構造により昇降路内頂部付近の保守点検作業を容易にできる機械室レスエレベーターを提供することにある。
【課題を解決するための手段】
【０００９】
上記目的を達成するため、本発明の機械室レスエレベーターは、昇降路と、この昇降路に沿って延設された籠レールおよび釣合重りレールと、上記籠レールによって案内されて上記昇降路内を昇降移動する乗り籠と、上記釣合重りレールによって案内されて上記乗り籠と連動して上記昇降路内を昇降移動する釣合重りと、上記乗り籠と釣合重りを連結したメインロープと、上記昇降路内頂部に設置され上記乗り籠および釣合重りを昇降移動させるように上記メインロープを巻き上げる巻上機と、を有するものであって、上記メインロープを巻回せしめた籠シーブを上記乗り籠の天井上に支持固定したシーブ梁の上に上記巻上機を保守点検するための作業台を設置したことを特徴とする。
【００１０】
上記発明によると、乗り籠の天井上に固設されたシーブ梁の上に作業台を設置したため、元々乗り籠の天井より高い位置にあるシーブ梁の上に作業員の安定した足場を提供でき、昇降路の天井に近い比較的高い位置にある巻上機の保守点検作業を容易にできる。また、本発明の作業台は、シーブ梁の上に設置するだけの簡単な構造を有するため、従来のように昇降路の天井や内壁に作業台を取り付ける必要がなく、作業台を設置するための構造を簡略化でき、作業台の取り付け作業も容易で、十分な強度も確保でき、装置の製造コストを安くできる。
【００１１】
また、上記発明によると、上記作業台は、上記巻上機および当該巻上機を支持固定したマシンビームと上下方向に重ならない位置に設置される。これにより、作業員が作業台に乗った状態で、作業員の頭上に巻上機やマシンビームなど昇降路の頂部近くに取り付けた構造物が存在しないため、作業員の安全を確保でき、楽な姿勢で作業し易い。
【発明の効果】
【００１２】
この発明のエレベーターは、上記のような構成および作用を有しているので、安価な構造により昇降路内頂部付近の保守点検作業を容易にできる。
【発明を実施するための最良の形態】
【００１３】
以下、図面を参照しながらこの発明の実施の形態について詳細に説明する。  
図１には、この発明の第１の実施の形態に係る機械室レスエレベーター１（以下、単に、エレベーター１と称する）の要部の構造を模式的に示してある。ここでは、乗り籠１０を最上階の乗場１２まで上昇させた状態のエレベーター１を図示してある。また、図２には、この乗り籠１０の天井の上の構造物について説明するための斜視図を示してあり、図３には、乗り籠１０の天井にある作業台２を上方から見た平面図を示してある。なお、図２では、作業台２の図示を省略してある。
【００１４】
以下の説明では、乗り籠１０を昇降路１４内で移動させる方向を上下方向とし、乗り籠１０のドア１０ａが開閉する方向を左右方向とし、乗り籠１０の内側からドア１０ａに向かう方向を前方とし、乗客が乗り籠１０に乗り込む方向を後方と称することとする。
【００１５】
図１および図２に示すように、昇降路１４内で乗り籠１０の左右両側には、乗り籠１０を昇降路１４に沿って上下動可能に案内するための籠レール１６Ｒ、１６Ｌが上下方向に延設されている。また、昇降路１４内には、釣合重り１８を上下動可能に案内するための釣合重りレール２０Ｒ（図示省略）、２０Ｌが上下方向に延設されている。釣合重り１８は、昇降路１４の後方で乗り籠１０と相反する方向に移動する。
【００１６】
乗り籠１０と釣合重り１８は、メインロープ２２によって連結されている。メインロープ２２の一端は、籠側ヒッチ２４に固定されており、他端は、重り側ヒッチ２６に固定されている。メインロープ２２の中間部は、２つの籠シーブ３６Ｌ、３６Ｒ、巻上機３０、および重りシーブ３８に巻き掛けられている。そして、巻上機３０の電動機３２を動作させることによりメインロープ２２を巻き上げて乗り籠１０および釣合重り１８を互いに相反する方向に移動させる。
【００１７】
巻上機３０の電動機３２は、マシンビーム３４の上に支持固定されている。マシンビーム３４は、昇降路１４の天井近くの頂部４０付近に取り付けられている。昇降路１４内を最上端まで上昇した乗り籠１０の天井からマシンビーム３４の下端までの距離は、乗り籠１０の天井に乗って保守点検作業をする作業員の安全を考慮して、一定距離以上確保することが義務付けられている。このため、マシンビーム３４の上に支持固定された巻上機３０の電動機３２は、最も上昇した状態の乗り籠１０の天井よりさらに上方に離間した位置に配置されていることになる。
【００１８】
２つの籠シーブ３６は、図２および図３に示すように、乗り籠１０の天井から上方に僅かに離間した位置で、左側前方から右側後方に向けて傾斜して略水平に延びた籠シーブ梁４２の両端にそれぞれ回転可能に取り付けられている。籠シーブ梁４２は、乗り籠１０の天井から僅かに上方に離間した位置で左右方向に延設されて乗り籠１０に固定された上梁４６を上下に挟む上板梁４４および下板梁４８を有する。つまり、籠シーブ梁４２は、上梁４６を介して乗り籠１０の天井に固定されている。
【００１９】
籠シーブ梁４２の上板梁４４の上には、略矩形板状の作業台２が取り付けられている。上述したように、昇降路１４の頂部４０近くに設置された巻上機３０の保守点検作業を実施する場合、乗り籠１０を昇降路１４内で最も高い位置まで上昇させたとしても、乗り籠１０の天井からマシンビーム３４までの距離が比較的大きく離れている。このため、マシンビーム３４の上に設置した巻上機３０に作業員がアクセスするためには乗り籠１０の天井よりさらに高い位置に足場が必要となる。
【００２０】
本実施の形態では、乗り籠１０の天井から僅かに上方に離間した位置に固設された籠シーブ梁４２の上板梁４４の上に作業台２を設置した。これにより、乗り籠１０の天井より上方にある巻上機３０に対し、作業員が容易にアクセスでき、保守点検作業を容易にできる。なお、本実施の形態の作業台２は、極めて単純な板状構造を有するため、安価な構造により安定した足場を提供できる。また、作業台２を籠シーブ梁４２の上面に固定したため、作業台２の強度も高く、作業台２の補強構造も殆ど不要となる。
【００２１】
また、本実施の形態では、図１に示すように、巻上機３０の電動機３２やマシンビーム３４など昇降路１４の頂部近くに配置した構造物に対して上下に重ならない位置に作業台２を設置したため、作業台２に乗った作業員の頭がマシンビーム３４や電動機３２に接触することがなく、巻上機３０の保守点検作業を安全に実施できる。
【００２２】
図４および図５には、この発明の第２の実施の形態に係る作業台５０を備えたエレベーター１の要部模式図を示してある。第２の実施の形態のエレベーター１は、異なる構造の作業台５０を備えた以外、上述した第１の実施の形態と略同じ構造を有する。よって、ここでは、第１の実施の形態と同様に機能する構成要素には同一符号を付してその詳細な説明を省略する。なお、図４は作業台５０を折り畳んだ状態を示してあり、図５は作業台５０を使用状態にセットした状態を示してある。
【００２３】
作業台５０は、図５に展開した状態を示すように、籠シーブ梁４２の上面（上板梁４４の上面）に固設した第１足場板５１、この第１足場板５１の後端に蝶番５２を介して接続された第２足場板５３、およびこの第２足場板５３の後端に蝶番５４を介して接続された第３足場板５５を有する。第１乃至第３足場板５１、５３、５５は、それぞれ、左右方向に細長い矩形状に形成されている。
【００２４】
乗り籠１０の天井に乗って保守点検作業を実施する場合、作業台５０が邪魔にならないようにその設置面積をできるだけ小さくするため、図４に示すように作業台５０を折り畳んだ状態に収納する。つまり、第１足場板５１の上に第２足場板５３を重ね、さらに第２足場板５３の上に第３足場板５５を重ねる。
【００２５】
一方、昇降路１４の頂部近くに配置された巻上機３０を保守点検する場合、作業台５０を図５に示すように展開する。つまり、籠シーブ梁４２の上面に固定された第１足場板５１の後端にある蝶番５２を中心に第２足場板５３を後方に１８０度回転させ、第２足場板５３の後端にある蝶番５４を中心に第３足場を図示のように後方に１８０度回転させる。
【００２６】
これにより、昇降路１４の後方に片寄った位置にある巻上機３０に近付く方向（すなわち後方）に作業台５０を広げることができ、巻上機３０の保守点検作業を実施する際の安定した足場を提供できる。また、図示は省略したが、巻上機３０の下方に展開される第３足場板５５は、図５において巻上機３０の下方に重なる位置に配置されているように見えるが、巻上機３０の電動機３２およびマシンビーム３４の下方に重ならないよう左右方向の長さが僅かに短くされている。
【００２７】
以上のように、本実施の形態においても、上述した第１の実施の形態と同様の効果を奏し得るとともに、作業台５０が邪魔になる状況では、作業台５０を小さく折り畳むこともでき、より利便性の高い作業台を提供できる。
【００２８】
図６および図７には、この発明の第３の実施の形態に係る作業台６０を備えたエレベーター１の要部模式図を示してある。第３の実施の形態のエレベーター１は、異なる構造の作業台６０を備えた以外、上述した第１の実施の形態と略同じ構造を有する。よって、ここでは、第１の実施の形態と同様に機能する構成要素には同一符号を付してその詳細な説明を省略する。なお、図６は作業台６０を収納した状態を示してあり、図７は作業台６０を使用状態に引き出した状態を示してある。
【００２９】
作業台６０は、図７に展開した状態を示すように、籠シーブ梁４２の上面に固設した第１足場ブロック６１、この第１足場ブロック６１の内部に収納される第２足場ブロック６２、およびこの第２足場ブロック６２の内部に収納される足場板６３を有する。第１足場ブロック６１は、断面コ字形状に形成され、後方に向けて開口した収容凹部６１ａを有する。この収容凹部６１ａには、第２足場ブロック６２が挿脱可能に収納される。第２足場ブロック６２も、断面コ字形状に形成され、後方に向けて開口した収容凹部６２ａを有する。この収容凹部６２ａには、足場板６３が挿脱可能に収納される。
【００３０】
なお、第１足場ブロック６１および第２足場ブロック６２は、それぞれ、左右に長い矩形ブロック状に形成され、第２足場ブロック６２から引き出される足場板６３は、巻上機３０の電動機３２およびマシンビーム３４と上下に重ならない形状に形成されている。
【００３１】
乗り籠１０の天井に乗って保守点検作業を実施する場合、作業台６０が邪魔にならないようにその設置面積をできるだけ小さくするため、図６に示すように作業台６０が小さく収納される。つまり、第１足場ブロック６１の収容凹部６１ａ内に第２足場ブロック６２が収納され、第２足場ブロック６２の収容凹部６２ａ内に足場板６３が収納される。
【００３２】
一方、昇降路１４の頂部近くに配置された巻上機３０を保守点検する場合、作業台６０を図７に示すように展開する。つまり、籠シーブ梁４２の上面に固定された第１足場ブロック６１の収容凹部６１ａから第２足場ブロック６２を後方へ引き出し、この第２足場ブロック６２の収容凹部６２ａから足場板６３を後方へ引き出す。
【００３３】
これにより、昇降路１４の後方に片寄った位置にある巻上機３０に近付く方向に作業台６０を広げることができ、巻上機３０の保守点検作業を実施する際の安定した足場を提供できる。特に、本実施の形態によると、第２足場ブロック６２および足場板６３を後方に引き出すだけで作業台６０を使用状態にセットでき、上述した第２の実施の形態の作業台５０と比較して作業台６０の設置作業を容易にできる。
【００３４】
以上のように、本実施の形態においても、上述した第１および第２の実施の形態と同様の効果を奏し得るとともに、作業台６０が邪魔になる状況では、作業台６０を簡単な操作で小さく収納でき、より利便性の高い作業台を提供できる。
【００３５】
図８には、この発明の第４の実施の形態に係る作業台７０（図１０参照）を備えたエレベーターの要部模式図を示してある。このエレベーターは、異なる構造の作業台７０を備えた以外、上述した第１の実施の形態と略同じ構造を有する。よって、ここでは、第１の実施の形態と同様に機能する構成要素には同一符号を付してその詳細な説明を省略する。なお、図９には、この作業台７０を分割して収納した状態の乗り籠１０を上方から見た平面模式図を示してあり、図１０には、作業台７０を使用状態に組み立てた状態の平面模式図を示してある。
【００３６】
図８および図９に示すように、作業台７０は、籠シーブ梁４２の上面に取り付けた２本の支持板７１、７２、および乗り籠１０の天井上に格納した２枚の足場板７３、７４を有する。２本の支持板７１、７２は、乗り籠１０の籠吊り芯に配置された回転軸７５を介して、籠シーブ梁４２の上面に回転可能に取り付けられている。具体的には、２本の支持板７１、７２は、図９に示す収納状態から図１０に示す使用状態に広げられる。
【００３７】
つまり、乗り籠１０の天井に乗って保守点検作業を実施する場合、作業台７０の２本の支持板７１、７２が邪魔にならないように、図９に示す状態に収納する。一方、昇降路１４の頂部近くに配置された巻上機３０を保守点検する場合、作業台７０の２本の支持板７１、７２を図１０に示すように十字に広げる。そして、十字に広げた２本の支持板７１、７２の上に、乗り籠１０の天井上に格納してある２枚の足場板７３、７４を乗せる。
【００３８】
巻上機３０が昇降路１４の後方に位置するため、足場板７３、７４は、図１０に示すように、回転軸７５より後方で広げられた２本の支持板７１、７２の上に乗せて使用するのが通常だが、必要に応じて足場板７３、７４を乗り籠１０の前方に片寄った位置にセットしても良い。また、足場板７３、７４の枚数は３枚以上あっても良く、その形状も矩形に限らない。
【００３９】
以上のように、本実施の形態によると、上述した第１乃至第３の実施の形態と同様の効果を奏し得るとともに、作業台７０の足場板７３、７４を任意の位置にセットでき、利便性を向上させることができる。また、本実施の形態の作業台７０によると、作業台７０を使用しないときに、籠シーブ梁４２の上に設置する構造物が２本の支持板７１、７２だけであるため、２枚の足場板７３、７４の分だけ籠シーブ梁４２の上の構造物の重量を少なくできる。言い換えると、乗り籠１０の天井上に格納する２枚の足場板７３、７４の重量を考えずにその構造を設計でき、より強度の高い幅広の足場板７３、７４を使用できる。
【００４０】
図１１および図１２には、この発明の第５の実施の形態に係る作業台８０を備えたエレベーターの要部模式図を示してある。このエレベーターは、異なる構造の作業台８０を備えた以外、上述した第１の実施の形態と略同じ構造を有する。よって、ここでは、第１の実施の形態と同様に機能する構成要素には同一符号を付してその詳細な説明を省略する。なお、図１１は作業台８０を乗り籠１０の天井上に格納した状態を示してあり、図１２は作業台８０を使用状態にセットした状態を示してある。
【００４１】
作業台８０は、乗り籠１０の天井に蝶番８１を介して回転可能に取り付けた連結板８２、この連結板８２前端に蝶番８３を介して接続された第１足場板８４、およびこの第１足場板８４の前端に蝶番８５を介して接続された第２足場板８６を有する。第１および第２足場板８４、８６は、それぞれ、左右方向に細長い矩形状に形成されている。
【００４２】
乗り籠１０の天井に乗って保守点検作業を実施する場合、作業台８０は、図１１に示すように、乗り籠１０の天井上に略水平な状態に広げて展開される。一方、昇降路１４の頂部近くに配置された巻上機３０を保守点検する場合、作業台８０の第１および第２足場板８４、８６を図１２に籠シーブ梁４２の上面上に配置する。
【００４３】
以上のように、本実施の形態においても、上述した第１の実施の形態と同様の効果を奏し得るとともに、作業台８０を使用しないときには、乗り籠１０の天井上に広げた状態で格納できるため、籠シーブ梁４２の上に構造物を無くすことができ、籠シーブ梁４２の上方のスペースを有効利用できる。
【００４４】
図１３及び図１４には、この発明の第６の実施の形態に係る作業台９０を備えたエレベーターの要部模式図を示してある。このエレベーターは、異なる構造の作業台９０を備えた以外、上述した第１の実施の形態と略同じ構造を有する。よって、ここでは、第１の実施の形態と同様に機能する構成要素には同一符号を付してその詳細な説明を省略する。
【００４５】
作業台９０は、籠シーブ梁４２の上面に固設した足場板９１、およびこの足場板９１の後端に蝶番９２を介して接続された規制板９３を有する。足場板９１は、上述した第１の実施の形態の作業台２と略同じように機能する。また、規制板９３は、図１４に示すように、蝶番９２を基点に起立されて巻上機３０のマシンビーム３４に接続され、足場板９１上の作業員が後方へ移動することを規制するよう機能する。
【００４６】
つまり、昇降路１４の頂部近くに配置された巻上機３０を保守点検する場合、作業台９０の規制板９３を図１４に示すように起立させてマシンビーム３４に接続する。これにより、昇降路１４の後方に片寄った位置にある巻上機３０に近付く作業員が足場板９１を踏み外してしまう危険性を無くすことができ、作業員の安全性を高めることができる。
【００４７】
以上のように、本実施の形態においても、上述した第１乃至５の実施の形態と同様の効果を奏し得るとともに、作業員の安全性をより高めることができる。
【００４８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４９】
【図１】この発明の第１の実施の形態に係る作業台を備えた機械室レスエレベーターの概略構造を示す模式図。
【図２】図１の作業台を含む乗り籠の天井上の構造物を示す概略斜視図。
【図３】図３の天井上の構造物を示す平面概略図。
【図４】この発明の第２の実施の形態に係る作業台を備えたエレベーターの要部を示す模式図。
【図５】図４の作業台を使用状態に展開した状態を示す模式図。
【図６】この発明の第３の実施の形態に係る作業台を備えたエレベーターの要部を示す模式図。
【図７】図６の作業台を使用状態に引き出した状態を示す模式図。
【図８】この発明の第４の実施の形態に係る作業台を備えたエレベーターの要部を示す模式図。
【図９】図８の作業台の足場板を格納した状態を示す平面模式図。
【図１０】図８の作業台の足場板を使用状態にセットした状態を示す平面模式図。
【図１１】この発明の第５の実施の形態に係る作業台を備えたエレベーターの要部を示す模式図。
【図１２】図１１の作業台を使用状態にセットした状態を示す模式図。
【図１３】この発明の第６の実施の形態に係る作業台を備えたエレベーターの要部を示す模式図。
【図１４】図１３の作業台を使用状態にセットした状態を示す模式図。
【符号の説明】
【００５０】
１…機械室レスエレベーター、２…作業台、１０…乗り籠、１２…乗場、１４…昇降路、１８…釣合重り、２２…メインロープ、３０…巻上機、３２…電動機、３４…マシンビーム、４２…籠シーブ梁。
【図１】
2009215051.tif 000003
【図２】
2009215051.tif 000004
【図３】
2009215051.tif 000005
【図４】
2009215051.tif 000006
【図５】
2009215051.tif 000007
【図６】
2009215051.tif 000008
【図７】
2009215051.tif 000009
【図８】
2009215051.tif 000010
【図９】
2009215051.tif 000011
【図１０】
2009215051.tif 000012
【図１１】
2009215051.tif 000013
【図１２】
2009215051.tif 000014
【図１３】
2009215051.tif 000015
【図１４】
2009215051.tif 000016